(57)【要約】段ボールプラントは、片面に積層された少なくとも１つの段ボールウェブ（６）を製造するための少なくとも１つの装置（５）と、両面に積層され、片面に積層された少なくとも１つの段ボールウェブ（６）を備える段ボールウェブを生成するための接続装置とを有する段ボール製造アセンブリ（１）を有する。  段ボールプラントはさらに、印刷ウェブ（４）を印刷するための印刷装置（５８）と、印刷ウェブ貯蔵装置（６６）と、積層ウェブ（４０）を巻き戻すための積層ウェブ巻き戻し装置（７０）を有する印刷ウェブ／積層ウェブ製造アセンブリ（２）を有する。  段ボールプラントはさらに、印刷ウェブ（４）を段ボール製造アセンブリ（１）内の積層ウェブとして用いる間、印刷装置（５８）を段ボール製造アセンブリ（１）に結合するための結合装置、及び／又は、段ボール製造アセンブリ（１）内の積層ウェブ（４０）を用いる間、印刷装置（５８）を段ボール製造アセンブリ（１）から切り離すための切り離し装置を有する結合／切り離しアセンブリ（７６）を有する。
2021523043.tif 000002
【特許請求の範囲】
【請求項１】
段ボールを製造するための段ボールプラントであって、
段ボール製造アセンブリ（１）と、印刷ウェブ／積層ウェブ製造アセンブリ（２）と、結合／切離しアセンブリ（７６；７６ａ）と、を有し、
ａ）前記段ボール製造アセンブリ（１）は、
ｉ）片面に積層された少なくとも１つの段ボールウェブ（６）を製造するための、少なくとも１つの装置（５）、及び、
ｉｉ）両面に積層され、前記片面に積層された少なくとも１つの段ボールウェブ（６）を備える段ボールウェブを生成するための接続装置を備え、
ｂ）前記印刷ウェブ／積層ウェブ製造アセンブリ（２）は、
ｉ）印刷ウェブ（４）を印刷するための印刷装置（５８）、
ｉｉ）前記印刷ウェブ（４）を貯蔵するための印刷ウェブ貯蔵装置（６６）、及び、
ｉｉｉ）積層ウェブ（４０）を巻き戻すための積層ウェブ巻き戻し装置（７０）を備え、及び、
ｃ）前記結合／切離しアセンブリ（７６；７６ａ）は、
ｉ）前記印刷ウェブ（４）を前記段ボール製造アセンブリ（１）内の積層ウェブとして用いて、前記印刷装置（５８）を前記段ボール製造アセンブリ（１）に結合するための結合装置、及び／又は、
ｉｉ）前記段ボール製造アセンブリ（１）内の前記積層ウェブ（４０）を用いて、前記印刷装置（５８）を前記段ボール製造アセンブリ（１）から切り離すための切離し装置を備える、段ボールプラント。
【請求項２】
前記結合／切離しアセンブリ（７６；７６ａ）は、少なくとも部分的に、有利には少なくとも大部分、有利には完全に、自動化された方法で作動することを特徴とする請求項１に記載の段ボールプラント。
【請求項３】
前記結合装置は、印刷ウェブ（４）及び／又は積層ウェブ（４０）が搬送される際、前記印刷ウェブ（４）を前記段ボール製造アセンブリ（１）内の積層ウェブとして用いて、前記印刷装置（５８）を前記段ボール製造アセンブリ（１）に結合できることを特徴とする請求項１又は２に記載の段ボールプラント。
【請求項４】
前記切離し装置は、印刷ウェブ（４）及び／又は積層ウェブ（４０）が搬送される際、前記段ボール製造アセンブリ（１）内の前記積層ウェブ（４０）を用いて、前記印刷装置（５８）を前記段ボール製造アセンブリ（１）から切り離しできることを特徴とする請求項１乃至３のいずれか一項に記載の段ボールプラント。
【請求項５】
前記結合／切離しアセンブリ（７６；７６ａ）は、前記印刷装置（５８）と前記印刷ウェブ貯蔵装置（６６）の間に配置されていることを特徴とする請求項１乃至４のいずれか一項に記載の段ボールプラント。
【請求項６】
前記結合／切離しアセンブリ（７６；７６ａ）は、前記積層ウェブ巻き戻し装置（７０）と前記接続装置の間に配置されていることを特徴とする請求項１乃至５のいずれか一項に記載の段ボールプラント。
【請求項７】
前記結合／切離しアセンブリ（７６；７６ａ）は、前記積層ウェブ（４０）を案内するための積層ウェブガイド、及び／又は前記印刷ウェブ（４）を案内するための印刷ウェブガイドを備え、
前記印刷ウェブガイドは、前記積層ウェブガイドとは別体であることを特徴とする請求項１乃至６のいずれか一項に記載の段ボールプラント。
【請求項８】
前記印刷ウェブ（４）及び前記積層ウェブ（４０）は、前記印刷ウェブガイド及び前記積層ウェブガイドにて、相互に分離した状態で案内できることを特徴とする請求項７に記載の段ボールプラント。
【請求項９】
前記結合／切離しアセンブリ（７６；７６ａ）は、前記積層ウェブ（４０）及び前記印刷ウェブ（４）を領域に収束するための、少なくとも１つの起動可能な積層ウェブ印刷ウェブ収束装置（９３）を備えることを特徴とする請求項１乃至８のいずれか一項に記載の段ボールプラント。
【請求項１０】
前記少なくとも１つの積層ウェブ印刷ウェブ収束装置（９３）は、前記積層ウェブ（４０）及び前記印刷ウェブ（４）を領域に収束するために、収束ギャップを形成しながら互いに相対的に変位可能な少なくとも一対の収束要素（９４、９５）を備えることを特徴とする請求項９に記載の段ボールプラント。
【請求項１１】
前記結合／切離しアセンブリ（７６；７６ａ）は、少なくとも１つの粘着テープ（１２６、１２７、１２８；１４３、１４４、１４５）を前記印刷ウェブ（４）及び／又は前記積層ウェブ（４０）に貼り付けて、前記印刷ウェブ（４）と前記積層ウェブ（４０）とを互いに固定的に接続するための少なくとも１つの粘着テープ貼付装置（８２、９９；９９ａ）を備え、
前記粘着テープ貼付装置（８２、９９；９９ａ）は、前記印刷ウェブ（４）及び／又は前記積層ウェブ（４０）に割り当てられていることを特徴とする請求項１乃至１０のいずれか一項に記載の段ボールプラント。
【請求項１２】
制御装置が、前記少なくとも１つの積層ウェブ印刷ウェブ収束装置（９３）及び／又は前記少なくとも１つの粘着テープ貼付装置（８２、９９；９９ａ）を作動し、
前記少なくとも１つの粘着テープ（１２６、１２７、１２８；１４３、１４４、１４５）により、前記印刷ウェブ（４）と前記積層ウェブ（４０）を互いに接続する間に、
前記印刷ウェブ（４）及び／又は前記積層ウェブ（４０）に貼り付けられる前記少なくとも１つの粘着テープ（１２６、１２７、１２８；１４３、１４４、１４５）の領域において、前記印刷ウェブ（４）及び前記積層ウェブ（４０）の収束が行われることを特徴とする請求項９乃至１１のいずれか一項に記載の段ボールプラント。
【請求項１３】
前記結合装置は、前記積層ウェブ（４０）を、特に完全に分離するための少なくとも１つの積層ウェブ分離装置（８９；８９ａ）を備え、
前記積層ウェブ（４０）の搬送方向（８１）における前記少なくとも１つの積層ウェブ分離装置（８９；８９ａ）は、好ましくは積層ウェブ印刷ウェブ収束装置（９３）の上流に配置され、
前記積層ウェブ（４０）の搬送方向（８１）における前記少なくとも１つの積層ウェブ分離装置（８９；８９ａ）は、好ましくは粘着テープ貼付装置（８２、９９；９９ａ）の下流に配置されていることを特徴とする請求項１乃至１２のいずれか一項に記載の段ボールプラント。
【請求項１４】
前記結合装置は、前記印刷ウェブ（４）を、特に完全に分離するための少なくとも１つの印刷ウェブ分離装置（１０４、１１７）を備え、
前記印刷ウェブ（４）の搬送方向（９８）における印刷ウェブ分離装置（１１７）は、好ましくは積層ウェブ印刷ウェブ収束装置（９３）の下流に配置され、
前記印刷ウェブ（４）の搬送方向（９８）における前記少なくとも１つの印刷ウェブ分離装置（１１７）は、好ましくは粘着テープ貼付装置（８２、９９；９９ａ）の下流に配置されていることを特徴とする請求項１乃至１３のいずれか一項に記載の段ボールプラント。
【請求項１５】
前記結合／切離しアセンブリ（７６ａ）は、分離装置（１３４）を形成している間に、少なくとも１つの分離要素（１３５）と相互作用するための、及び／又は、
粘着テープ貼付装置（９９ａ）を形成している間に、少なくとも１つの粘着テープ要素（８３）と相互作用するための、少なくとも１つの取り外し可能なカウンタ駆動ユニットを備えることを特徴とする請求項１乃至１４のいずれか一項に記載の段ボールプラント。
【請求項１６】
特に、請求項１乃至１５のいずれか一項に記載の段ボールプラントのための結合／切離しアセンブリであって、
ａ）印刷ウェブ（４）を前記段ボール製造アセンブリ（１）内の積層ウェブとして用いて、印刷装置（５８）を前記段ボール製造アセンブリ（１）に結合するための結合装置、及び／又は
ｂ）前記段ボール製造アセンブリ（１）内の積層ウェブ（４０）を用いて、前記印刷装置（５８）を前記段ボール製造アセンブリ（１）から切り離すための切離し装置を備える、結合／切離しアセンブリ。
【請求項１７】
段ボールを製造する方法であって、
ａ）段ボール製造アセンブリ（１）が、
片面に積層された少なくとも１つの段ボールウェブ（６）を製造するための少なくとも１つの装置（５）、及び、
両面に積層され、前記片面に積層された少なくとも１つの段ボールウェブ（６）を備える段ボールウェブを生成するための接続装置を備え、
ｂ）印刷ウェブ／積層ウェブ製造アセンブリ（２）が、
印刷ウェブ（４）を印刷するための印刷装置（５８）、
前記印刷ウェブ（４）を貯蔵するための印刷ウェブ貯蔵装置（６６）、及び、
積層ウェブ（４０）を巻き戻すための積層ウェブ巻き戻し装置（７０）を備え、
−  前記段ボール製造アセンブリ（１）で段ボールを製造するステップと、
−  前記印刷ウェブ／積層ウェブ製造アセンブリ（２）において、前記印刷ウェブ（４）及び／又は前記積層ウェブ（４０）を製造するステップと、
−  前記印刷ウェブ（４）を前記段ボール製造アセンブリ（１）内の積層ウェブとして用いて、前記印刷装置（５８）を前記段ボール製造アセンブリ（１）に結合するステップと、及び／又は、
前記段ボール製造アセンブリ（１）内の積層ウェブ（４０）を用いて、前記印刷装置（５８）を前記段ボール製造アセンブリ（１）から切り離すステップと、を備える方法。
【請求項１８】
前記印刷装置（５８）及び／又は前記段ボール製造アセンブリ（１）が動作している間、前記印刷装置（５８）が、前記段ボール製造アセンブリ（１）に結合されていることを特徴とする請求項１７に記載の方法。
【請求項１９】
前記印刷装置（５８）及び／又は前記段ボール製造アセンブリ（１）が動作している間、前記印刷装置（５８）が、前記段ボール製造アセンブリ（１）から切り離されていることを特徴とする請求項１７又は１８に記載の方法。
【発明の詳細な説明】
【技術分野】
【０００１】
本特許出願は、ドイツ特許出願ＤＥ  １０  ２０１８  ２０７  ４４６．１の優先権を主張し、その内容は参照により本明細書に組み込まれる。
【０００２】
本発明は、段ボールを製造するための段ボールプラントに関する。本発明はさらに、段ボールプラントのための結合／切離しアセンブリに向けられている。本発明は、さらに、段ボールを製造する方法に向けられている。
【背景技術】
【０００３】
明らかな先行使用を考慮した段ボールプラントは、先行技術から一般に知られている。先行技術はまた、段ボールウェブの積層ウェブを印刷するための印刷装置を有する段ボールプラントを開示している。これらの公知の段ボールプラントでは、非常に柔軟性に欠けることがしばしば不利である。このような段ボールプラントでは、異なる注文を処理するために長い段取り替え時間がしばしば必要とされる。
【発明の概要】
【発明が解決しようとする課題】
【０００４】
本発明は、先行技術の欠点を克服するという目的に基づいている。非常に柔軟性のある段ボールプラントが、特に提供される。対応する結合／切離しアセンブリ、及び段ボールを製造するための対応する方法も同様に提供される。
【課題を解決するための手段】
【０００５】
この目的は、主請求項１、１６、及び１７に記載の特徴により、本発明に従って達成される。本発明の核心は、結合／切離しアセンブリにある。それは、印刷装置によって印刷してよい印刷ウェブを、段ボール製造アセンブリでの積層ウェブとして使用できるか、又は使用するように、その印刷装置を段ボール製造アセンブリに、特に機能的な方法で結合できる。及び／又は、印刷ウェブを段ボール製造アセンブリでの積層ウェブとして利用せず、積層ウェブ巻き戻し装置から巻き戻された積層ウェブを、段ボール製造アセンブリにおいて有利に利用できるように、その印刷装置を段ボール製造アセンブリから、特に機能的な方法で切り離しできる。結合／切離しアセンブリは、段ボール製造アセンブリにおいて、印刷ウェブと積層ウェブとの間の切り替え、特に前のウェブから新しいウェブへの切り替えを可能にする。
【０００６】
印刷ウェブ／積層ウェブ製造アセンブリにおいて、印刷装置と段ボール製造アセンブリが非結合（切離し）状態での印刷ウェブと積層ウェブの別個の製造、特に別個の取り扱いが可能である。このようにして、印刷ウェブ又は積層ウェブは、分離した方法で、又は結合した方法で製造可能である。
【０００７】
印刷装置と段ボール製造アセンブリとの結合状態での印刷ウェブ／積層ウェブ製造アセンブリは、特に印刷ウェブのみを製造する。
【０００８】
印刷装置が段ボール製造アセンブリに結合されている場合、結合装置は、好ましくは、印刷ウェブと積層ウェブとを互いに結合する。
【０００９】
印刷装置が段ボール製造装置から切り離されている場合、切離し装置は、好ましくは、積層ウェブと印刷ウェブとの間の接続、及び印刷ウェブ貯蔵装置に貯蔵されている貯蔵ウェブと印刷ウェブとの間の接続を確実にする。
【００１０】
積層ウェブと印刷ウェブは、接着の方法で、好ましくは、少なくとも１つの粘着テープを使用しながら、互いに接合することができ、特にスプライスすることができる。
【００１１】
貯蔵ウェブと印刷ウェブは、接着の方法で、好ましくは、少なくとも１つの粘着テープを使用しながら、互いに接合することができ、特にスプライスすることができる。
【００１２】
少なくとも１つの粘着テープがウェブに取り付けられているとき、又はそのウェブがさらなるウェブに固定的に接続されている場合、そのウェブは、好ましくは端部側で、特にローラのような隣接する保持要素に関して局所的に固定されることが好都合である。これは、例えば真空によって、又はクランプによって行われる。
【００１３】
貯蔵装置は、好ましくは、巻取り装置として具現化される。
【００１４】
好ましくは、片面に積層された少なくとも１つの段ボールウェブを製造するための少なくとも１つの装置は、段ボールウェブを形成しながら、少なくとも１つの波形成形される材料ウェブに波形を形成するための少なくとも１つの波形成形装置を有する。
【００１５】
片面に積層された少なくとも１つの段ボールウェブを製造するための少なくとも１つの装置が、少なくとも１つの段ボールウェブを接着するための少なくとも１つの接着剤塗布装置を有することが有利である。
【００１６】
片面に積層された少なくとも１つの段ボールウェブを製造するための少なくとも１つの装置が、少なくとも１つのカバーウェブを接着剤の塗布された少なくとも１つの段ボールウェブに押し付けるための少なくとも１つの接触圧力装置を含むことは、好都合である。
【００１７】
片面に積層された少なくとも１つの段ボールウェブは、好ましくは、それぞれ１つの段ボールウェブと１つのカバーウェブとからなる。少なくとも１つのカバーウェブ巻き戻し装置は、少なくとも１つのカバーウェブを巻き戻すことが好都合である。カバーウェブ巻き戻し装置は、連続するカバーウェブを巻き戻すためのカバーウェブスプライシング装置として好適に具現化される。少なくとも１つの段ボールウェブ／材料ウェブ巻き戻し装置が、少なくとも１つの段ボールウェブ／材料ウェブを巻き戻すことが好都合である。段ボールウェブ／材料ウェブ巻き戻し装置は、連続する段ボールウェブ／材料ウェブを巻き戻すための段ボールウェブ／材料ウェブスプライシング装置として好適に具現化される。
【００１８】
印刷ウェブ／積層ウェブ製造アセンブリは、印刷ウェブ又は積層ウェブをそれぞれ搬送するための少なくとも１つの搬送装置を有することが好都合である。
【００１９】
印刷ウェブ／積層ウェブ製造アセンブリは、有利には、印刷される印刷ウェブをプレコートするためのプレコート装置を有する。
【００２０】
印刷ウェブ／積層ウェブ製造アセンブリは、印刷される印刷ウェブを前処理するためのコロナ前処理装置を含むことが有利である。
【００２１】
印刷ウェブ／積層ウェブ製造アセンブリは、好ましくは、印刷されている印刷ウェブ、又はその印刷ウェブの少なくとも１つの印刷領域をそれぞれラッカー処理するためのラッカー処理装置を有する。
【００２２】
印刷ウェブ／積層ウェブ製造アセンブリは、印刷ウェブを乾燥させるための少なくとも１つの乾燥装置を含むことが好都合である。有利には、少なくとも１つのインプリント及び／又はラッカーのプレコートの乾燥が行われる。
【００２３】
印刷装置は、有利には、デジタル印刷装置、特にインクジェット印刷装置である。印刷装置は、複数の印刷機構を構成することができる。他の公知の印刷装置を代替的に使用することができる。印刷装置は、特に、少なくとも１つの文字、数字、別の符号、グラフィックデザイン及び／又は写真を印刷ウェブ上に印刷できる。印刷色又はインクは、この目的のために好ましく使用される。印刷ウェブは、好ましくは、滑らかな波形成形されていないウェブであるか、又はそのままである。
【００２４】
積層ウェブ巻き戻し装置は、好ましくは、段ボール製造アセンブリの外側に、又は段ボール製造アセンブリから離れた位置に配置される。
【００２５】
積層ウェブは、例えば、搬送アセンブリによって、印刷ウェブ／積層ウェブ製造アセンブリから段ボール製造アセンブリに搬送できる。あるいは、積層ウェブとしての印刷ウェブは、例えば、搬送アセンブリによって、印刷ウェブ／積層ウェブ製造アセンブリから段ボール製造アセンブリに搬送できる。
【００２６】
接続装置は、片面に積層された少なくとも１つの段ボールウェブと、積層ウェブ／印刷ウェブとを使用している間に、及び両方を接続している間に、両面に積層された段ボールウェブを生成する。接続装置は、好ましくは、加熱引き出し装置、又は加熱接触圧力装置として構成されている。接続装置が、加熱テーブルと少なくとも１つの接触圧力ベルトとの間に接触圧力ギャップを形成しながら、加熱テーブルと少なくとも１つの接触圧力ベルトとから構成されていることが好都合である。
【００２７】
完成した段ボールは、有利には３層を有する。あるいは、完成した段ボールは、３層以上、例えば５層又は７層を有する。積層ウェブ／印刷ウェブは、外側層を形成する。完成した段ボールは、外側に印刷されていても、されていなくてもよい。
【００２８】
ここで使用される用語「上流」、「下流」、「下流に配置された」、「上流に配置された」又はそのようなものは、特に、それぞれの場合に搬送又は移送されるウェブを指す。
【００２９】
本発明のさらなる有利な設計実施形態は、従属請求項に記載されている。
【００３０】
従属請求項２による結合／切離しアセンブリは、特に操作者、又はユーザにとって使いやすい。結合／切離しアセンブリは、非常に効率的又は経済的に動作する。結合装置及び／又は切離し装置は、少なくとも部分的に、有利には少なくとも大部分が、有利には少なくとも完全に、自動化された方法で作動する。
【００３１】
従属請求項３による段ボールプラントは、特に経済的である。印刷装置と段ボール製造アセンブリを互いに結合することは、特に、段ボールプラント、又は印刷ウェブ／積層ウェブ製造アセンブリ及び／又は段ボール製造アセンブリをそれぞれ停止させることなく可能である。段ボール製造アセンブリと印刷ウェブ／積層ウェブ製造アセンブリは、機能的に、少なくとも一時的に相互に独立していることが好都合である。段ボール製造アセンブリ及び印刷ウェブ／積層ウェブ製造アセンブリは、結合する際に、又は結合するために、好ましくは、相互に独立した方法で動作又は製造することができる。本実施例の段ボール製造アセンブリは、場合により、両面に積層された段ボールウェブを製造し、一方、印刷ウェブ／積層ウェブ製造アセンブリは、例えば印刷された印刷ウェブを製造し、及び／又は積層ウェブを巻き戻す。本実施例での準備の段取り作業は、段ボール製造アセンブリ及び／又は印刷ウェブ／積層ウェブ製造アセンブリがそれぞれ動作又は製造するときに、好ましくは可能である。
【００３２】
従属請求項４による段ボールプラントは、極めて経済的である。印刷装置と段ボール製造アセンブリを互いに切り離すことは、特に、段ボールプラント、又は印刷ウェブ／積層ウェブ製造アセンブリ及び／又は段ボール製造アセンブリをそれぞれ停止させることなく可能である。段ボール製造アセンブリと印刷ウェブ／積層ウェブ製造アセンブリは、機能的に、少なくとも一時的に相互に独立していることが好都合である。段ボール製造アセンブリ及び印刷ウェブ／積層ウェブ製造アセンブリは、切り離す際に、又は切り離すために、好ましくは、相互に独立した方法で動作又は製造することができる。本実施例の段ボール製造アセンブリは、場合により、両面に積層された段ボールウェブを製造し、一方、印刷ウェブ／積層ウェブ製造アセンブリは、例えば印刷された印刷ウェブを製造し、及び／又は積層ウェブを巻き戻す。本実施例での準備の段取り作業は、段ボール製造アセンブリ及び／又は印刷ウェブ／積層ウェブ製造アセンブリがそれぞれ動作又は製造するときに、好ましくは可能である。
【００３３】
従属請求項６による結合／切離しアセンブリは、積層ウェブ巻き戻し装置と接続装置、したがって、段ボール製造アセンブリの間に配置されている。
【００３４】
従属請求項７による段ボールプラントは、機能的に非常に信頼性が高い。結合／切離しアセンブリは、特に、現在搬送されているウェブ／複数のウェブを誤動作のない方法で搬送できる。例えば、そこでのウェブ間のあらゆる相互障害を回避可能である。
【００３５】
従属請求項７に関する説明は、従属請求項８に実質的に類似した方法で適用される。印刷装置及び段ボール製造アセンブリが切り離されている場合、印刷ウェブ及び積層ウェブは、結合／切離しアセンブリにおいて、特に別々に案内される。
【００３６】
従属請求項９による少なくとも１つの積層ウェブ／印刷ウェブ収束装置は、印刷装置と段ボール製造アセンブリとを結合するために、及び／又は、印刷装置と段ボール製造アセンブリとを切り離すために使用できる。例えば、少なくとも１つの積層ウェブ／印刷ウェブ収束装置は、印刷装置と段ボール製造アセンブリとを結合するための直接又は間接の、特に直線状の接触領域を形成しながら、領域内で積層ウェブと印刷ウェブとを収束させることができる。例えば、積層ウェブ／印刷ウェブ収束装置は、印刷装置と段ボール製造アセンブリとを切り離すための直接又は間接の、特に直線状の接触領域を形成しながら、領域内で積層ウェブと貯蔵ウェブとを印刷ウェブにて収束させることができる。積層／印刷ウェブ収束装置は、油圧装置、空気圧装置、電気駆動装置などのような少なくとも１つの変位装置からなることが好都合である。
【００３７】
従属請求項１０による一対の収束要素は、収束する際に、積層ウェブと印刷ウェブ、又は巻回ウェブに係合し、有利には、積層ウェブと印刷ウェブ、又は巻回ウェブの、互いに離れて対向する側面に係合する。収束要素は、例えば、構造的に同一であるか、又は非類似である。少なくとも１つの収束要素は、好ましくは、ローラ、ロールとして、又はプラテン、ブロックなどの回転可能に固定された要素として具現化される。少なくとも一対の収束要素は、一様に変位可能であることが好都合である。あるいは、不均一な変位が行われる。例えば、収束要素のうちの１つは、位置的に固定される。好ましくは、変位は、少なくとも１つの変位ユニットによって行われる。積層ウェブ／印刷ウェブ収束装置は、積層ウェブ及び／又は印刷ウェブ／巻回ウェブ間の固定された接続を準備するために、又は、印刷装置を段ボール製造アセンブリから切り離すために、積層ウェブ及び／又は印刷ウェブ／巻回ウェブを位置的に確立（固定）できることが好都合である。例えば、第１収束要素は、積層ウェブを位置的に固定できる。例えば、第２収束要素は、印刷ウェブ／巻回ウェブを位置的に固定できる。それぞれのウェブは、好ましくは、クランプされた方法で、及び／又はそれぞれの収束要素上の真空によって、又は収束要素との関連で固定され得る。それぞれのウェブを保持するためのそれぞれの収束要素が、真空ローラとして具現化されること、及び／又は少なくとも１つのクランプ手段がその収束要素に割り当てられることが好都合である。
【００３８】
従属請求項１１による少なくとも１つの粘着テープ貼付装置は、好都合には、少なくとも１つの粘着ストリップを保持し、それを粘着テープ受容位置と粘着テープ移送位置との間で移送するための少なくとも１つの変位可能又は作動可能な粘着テープ貼付要素を備える。少なくとも１つの粘着テープ貼付要素は、好ましくは、旋回可能又は回転可能な粘着テープ移送ローラとして具現化される。少なくとも１つの粘着テープ貼付装置は、少なくとも１つの粘着テープ貼付要素と、それの粘着テープ移送位置にて相互作用するための少なくとも１つのカウンタ要素を有することが好都合である。
【００３９】
印刷装置と段ボール製造アセンブリとを結合するための少なくとも１つの粘着テープ貼付装置は、印刷ウェブに接続させるために、少なくとも１つの粘着テープを積層ウェブに貼付することが有利である。印刷装置と段ボール製造アセンブリとを切り離すための少なくとも１つの粘着テープ貼付装置は、貯蔵ウェブに接続させるために、少なくとも１つの粘着テープを印刷ウェブに貼付することが有利である。あるいは、印刷装置と段ボール製造アセンブリとを切り離すための少なくとも１つの粘着テープ貼付装置は、印刷ウェブに接続させるために、少なくとも１つの粘着テープを貯蔵ウェブに貼付することが有利である。
【００４０】
従属請求項１３による少なくとも１つの積層ウェブ分離装置は、有利には、少なくとも１つの変位可能な積層ウェブ分離要素を備え、有利にはまた、積層ウェブを分離する際に、少なくとも１つの積層ウェブ分離要素と相互作用するための対応する積層ウェブカウンタ分離要素を備える。この設計の実施形態は、特に効率的な結合／切離しアセンブリとなる。少なくとも１つの積層ウェブ分離装置は、印刷装置と段ボール製造アセンブリを結合する際に、又は結合するため、能動的であることが好ましい。
【００４１】
従属請求項１４による少なくとも１つの印刷ウェブ分離装置は、有利には、少なくとも１つの変位可能な印刷ウェブ分離要素を備え、有利にはまた、印刷ウェブを分離する際に、少なくとも１つの印刷ウェブ分離要素と相互作用するための対応する印刷ウェブカウンタ要素を備える。この設計の実施形態は、特に効率的な結合／切離しアセンブリとなる。少なくとも１つの印刷ウェブ分離装置は、印刷装置と段ボール製造アセンブリを結合及び／又は切り離しする際に、又はそのために、能動的であることが好ましい。
【００４２】
従属請求項３及び４に関する説明は、それぞれ従属請求項１８及び１９に実質的に類似した方法で適用される。
【００４３】
従属請求項２〜１５及びそれに関する説明は、好ましくは、それぞれ主請求項１６及び１７の有利な改良にも関連する。
【００４４】
本発明の２つの好ましい実施形態は、以下の添付の図面を参照して、例示的な方法で以下に説明される。
【図面の簡単な説明】
【００４５】
【図１】本発明に係る段ボールプラントの一部分の概略平面図を示す。
【図２】図１に示された段ボールプラントの段ボール製造アセンブリの部分側面図を示す。
【図３】図１に可視化された段ボールプラントの印刷ウェブ／積層ウェブ製造アセンブリの側面図を示す。
【図４】図１に示された段ボールプラントの本発明に係る結合／切離しアセンブリの透視図を示す。
【図５】図４に示された結合／切離しアセンブリの運転時における個々の長手方向断面図（その１）を示す。
【図６】図４に示された結合／切離しアセンブリの運転時における個々の長手方向断面図（その２）を示す。
【図７】図４に示された結合／切離しアセンブリの運転時における個々の長手方向断面図（その３）を示す。
【図８】図４に示された結合／切離しアセンブリの運転時における個々の長手方向断面図（その４）を示す。
【図９】図４に示された結合／切離しアセンブリの運転時における個々の長手方向断面図（その５）を示す。
【図１０】図４に示された結合／切離しアセンブリの運転時における個々の長手方向断面図（その６）を示す。
【図１１】図４に示された結合／切離しアセンブリの運転時における個々の長手方向断面図（その７）を示す。
【図１２】図４に示された結合／切離しアセンブリの運転時における個々の長手方向断面図（その８）を示す。
【図１３】図４に示された結合／切離しアセンブリの運転時における個々の長手方向断面図（その９）を示す。
【図１４】図４に示された結合／切離しアセンブリの運転時における個々の長手方向断面図（その１０）を示す。
【図１５】図４に示された結合／切離しアセンブリの運転時における個々の長手方向断面図（その１１）を示す。
【図１６】第２実施形態による、本発明に係る結合／切離しアセンブリの透視図を示す。
【図１７】変更時における図１６の結合／切離しアセンブリの透視図である。
【図１８】運転時における図１６、１７の結合／切離しアセンブリを表す個々の長手方向断面図（その１）を示す。
【図１９】運転時における図１６、１７の結合／切離しアセンブリを表す個々の長手方向断面図（その２）を示す。
【図２０】運転時における図１６、１７の結合／切離しアセンブリを表す個々の長手方向断面図（その３）を示す。
【図２１】運転時における図１６、１７の結合／切離しアセンブリを表す個々の長手方向断面図（その４）を示す。
【図２２】運転時における図１６、１７の結合／切離しアセンブリを表す個々の長手方向断面図（その５）を示す。
【図２３】運転時における図１６、１７の結合／切離しアセンブリを表す個々の長手方向断面図（その６）を示す。
【図２４】運転時における図１６、１７の結合／切離しアセンブリを表す個々の長手方向断面図（その７）を示す。
【図２５】運転時における図１６、１７の結合／切離しアセンブリを表す個々の長手方向断面図（その８）を示す。
【図２６】運転時における図１６、１７の結合／切離しアセンブリを表す個々の長手方向断面図（その９）を示す。
【図２７】運転時における図１６、１７の結合／切離しアセンブリを表す個々の長手方向断面図（その１０）を示す。
【図２８】運転時における図１６、１７の結合／切離しアセンブリを表す個々の長手方向断面図（その１１）を示す。
【発明を実施するための形態】
【００４６】
最初に図１から図３を参照して、段ボールプラント（全体としては図示せず）は、段ボール製造アセンブリ１（全体としては図示せず）と、印刷ウェブ／積層ウェブ製造アセンブリ２、そして、印刷ウェブ／積層ウェブ製造アセンブリ２を段ボール製造アセンブリ１に、特に横方向で接続する積層ウェブ搬送アセンブリ３を備える。段ボール製造アセンブリ１では、特に連続した３層の段ボールウェブを製造することができ、一方、印刷ウェブ／積層ウェブ製造アセンブリ２では、特に連続した積層ウェブ４０、及び／又はオプションで印刷された印刷ウェブ４を製造することができる。
【００４７】
図１、２に特に示されている段ボール製造アセンブリ１は、片面に積層された連続段ボールウェブ６を製造するための装置５を備える。
【００４８】
片面に積層された連続段ボールウェブ６を製造するための装置５の上流には、カバーウェブスプライシング装置７及び材料ウェブスプライシング装置８が配置されている。
【００４９】
カバーウェブスプライシング装置７は、第１カバーウェブロール１０から有限の第１カバーウェブ９を巻き戻すための第１巻き戻しユニット１１を備え、第２カバーウェブロール１２から有限の第２カバーウェブを巻き戻すための第２巻き戻しユニット１３を備える。有限の第１カバーウェブ９と、有限の第２カバーウェブは、連続したカバーウェブ１４を提供するためにカバーウェブスプライシング装置７の接続及び切断ユニットによって互いに接続される。なお、接続及び切断ユニットは図示していない。
【００５０】
材料ウェブスプライシング装置８は、カバーウェブスプライシング装置７に対応するように具現化されている。後者は、第１材料ウェブロール１５から有限の第１材料ウェブを巻き戻すための第３巻き戻しユニット１６を備え、第２材料ウェブロール１８から有限の第２材料ウェブ１７を巻き戻すための第４巻き戻しユニット１９を備える。連続した材料ウェブ２０を提供するための有限の第１材料ウェブと第２材料ウェブ１７は、材料ウェブスプライシング装置８の接続及び切断ユニット（図示せず）によって互いに接続される。
【００５１】
連続カバーウェブ１４は、加熱アセンブリ２１及び偏向ローラ２２を介して、片面に積層された連続段ボールウェブ６を製造するための装置５に供給され、一方、連続材料ウェブ２０は、さらなる偏向ローラ２３を介して、片面に積層された連続段ボールウェブ６を製造するための装置５に供給される。
【００５２】
片面に積層された連続段ボールウェブ６を製造するための装置５は、連続材料ウェブ２０から波形を有する連続段ボールウェブ２４を生成するために、回転可能に取り付けられた第１波形ローラ２５と、回転可能に取り付けられた第２波形ローラ２６とを備える。波形ローラ２５、２６は対で配置されており、連続材料ウェブ２０を通過して、波形を付けるための波形成形ギャップを構成している。波形ローラ２５、２６は結合して波形成形装置を形成する。波形ローラ２５、２６の回転軸は、連続材料ウェブ２０の搬送方向２７に垂直かつ水平に延びる。
【００５３】
連続段ボールウェブ２４を連続カバーウェブ１４に接続し、片面に積層された連続段ボールウェブ６を形成するために、片面に積層された連続段ボールウェブ６を製造するための装置５は、接着剤計量ローラ２９、接着剤容器３０、及び接着剤塗布ローラ３１からなる接着剤塗布装置２８を備える。接着剤塗布ローラ３１は、第１波形ローラ２５と一体となって、連続段ボールウェブ２４を通過させて糊付けするための接着剤塗布を構成する。接着剤容器３０内に収容されている接着剤は、接着剤塗布ローラ３１を介して接着剤塗布隙間で連続段ボールウェブ２４の波形先端に塗布される。接着剤計量ローラ２９は、接着剤塗布ローラ３１を押し付け、接着剤塗布ローラ３１上に均一な接着剤層を構成する。
【００５４】
連続カバーウェブ１４は、接着剤容器３０から接着剤を供給された連続段ボールウェブ２４と結合して、片面に積層された連続段ボールウェブ６を製造するための装置５で接合される。
【００５５】
接着剤が塗布され、第１波形ローラ２５上を次々と領域的に当接する連続段ボールウェブ２４に対し、連続カバーウェブ１４を押し付けるために、片面に積層された連続段ボールウェブ６を製造するための装置５は、接触圧力モジュール３２を有する。接触圧力モジュール３２は、好ましくは、接触圧力ベルトモジュールとして具現化される。接触圧力モジュール３２は、第１波形ローラ２５の上に配置されている。接触圧力モジュール３２は、２つの偏向ローラ３３と、その２つの偏向ローラ３３の周りに案内される連続接触圧力ベルト３４とを有する。
【００５６】
領域内の第１波形ローラ２５は、２つの偏向ローラ３３の間にある空間に下から係合し、それにより、接触圧力ベルト３４が第１波形ローラ２５によって偏向される。接触圧力ベルト３４は連続カバーウェブ１４を押し付け、その連続カバーウェブ１４は、接着剤が塗布され、第１波形ローラ２５に当接する連続段ボールウェブ２４に次々に押し付けられる。
【００５７】
片面に積層された連続段ボールウェブ６は、段ボール製造アセンブリ１の高架輸送設置３５を介して、一時的な保管及び緩衝のための保管装置３６に供給され、その連続段ボールウェブ６は、そこでループを構成する。
【００５８】
段ボール製造アセンブリ１は、片面に積層された連続段ボールウェブ６の搬送方向に関して、保管装置３６及び材料ウェブスプライシング装置８の下流に、互いに上下に配置された２つの予熱ローラ３８、３９からなる予熱アセンブリ３７を有する。片面に積層された連続段ボールウェブ６と、特に連続した積層ウェブ４０とが予熱アセンブリ３７に供給され、段ボールウェブ６と積層ウェブ４０は、予熱ローラ３８又は３９に部分的に巻き付いている。
【００５９】
段ボール製造アセンブリ１は、片面に積層された連続段ボールウェブ６の搬送方向に関して、予熱アセンブリ３７の下流に、部分的に接着剤槽に浸漬された接着ローラ４２を具備する接着ユニット４１を有する。接着ユニット４１の接着剤計量ローラ４３は、接着ローラ４２上に均一な接着剤層を構成するように接着ローラ４２に当接する。片面に積層された連続段ボールウェブ６は、それの段ボールウェブ２４を介して接着ローラ４２と接触し、段ボールウェブ２４の波形に接着剤槽からの接着剤が塗布される。
【００６０】
段ボール製造アセンブリ１は、片面に積層された連続段ボールウェブ６の搬送方向に関して、接着ユニット４１の下流に、水平方向に延びる加熱テーブルを構成する加熱接触圧力装置（図示せず）を有する。ガイドローラの周囲に案内される連続接触圧力ベルトが加熱テーブルに隣接するように配置されている。接触圧力ベルトと加熱テーブルの間に、接触圧力隙間が構成されており、片面に積層された連続段ボールウェブ６、及び連続積層ウェブ４０、又は印刷ウェブ４が、その接触圧力隙間を通って案内され、両面に積層された連続段ボールウェブを形成する。
【００６１】
段ボール製造アセンブリ１は、両面に積層された連続段ボールウェブの搬送方向に関して、加熱接触圧力装置の下流に、両面に積層された連続段ボールウェブを長手方向に切断して波形を付けるための長手方向切断／波形成形装置（図示せず）を、好ましくは備える。
【００６２】
段ボール製造アセンブリ１は、両面に積層された連続段ボールウェブの搬送方向に関して、長手方向切断／波形成形装置の下流に、その長手方向切断／波形成形装置によって両面に積層された連続段ボールウェブから生成された段ボールサブウェブ（図示せず）を横方向に切断するための横方向切断装置（図示せず）を、望ましくは備える。
【００６３】
段ボール製造アセンブリ１の分岐器（ｔｕｒｎｏｕｔ）（図示せず）は、段ボールサブウェブを異なる平面で搬送するために、好ましくは、長手方向切断／波形成形装置の下流に配置される。
【００６４】
段ボールサブウェブを横方向に切断し、段ボールシートを形成する段ボール製造アセンブリ１の横方向切断装置（図示せず）は、好ましくは分岐器の下流に配置される。段ボールシートは、好ましくは、段ボール製造アセンブリ１のスタッキング装置（図示せず）内に積み重ねられる。
【００６５】
特に図１、３に示されている印刷ウェブ／積層ウェブ製造アセンブリ２は、印刷ウェブスプライシング装置４４を備える。この装置は、第１印刷ウェブロール４６から有限の第１印刷ウェブ４５を巻き戻すための第５巻き戻しユニット４７を備え、第２印刷ウェブロール４８から有限の第２印刷ウェブを巻き戻すための第６巻き戻しユニット４９を備える。連続印刷ウェブ４を提供するための有限の第１印刷ウェブ４５と第２印刷ウェブは、印刷ウェブスプライシング装置４４の接続及び切断ユニット（図示せず）によって互いに接続される。
【００６６】
印刷ウェブ／積層ウェブ製造アセンブリ２は、印刷ウェブ／積層ウェブ製造アセンブリ２における連続印刷ウェブ４の搬送方向９８に関して、印刷ウェブスプライシング装置４４の下流に、プレコート塗布装置５０を備える。それは、連続印刷ウェブ４に割り当てられ、連続印刷ウェブ４の外側面５１に平面プレコートを塗布する。平面プレコートは、連続印刷ウェブ４を、特に全領域にわたって、その外側面５１上を覆い、両面に積層された段ボールウェブの完成品においても同様に外側面を形成する。
【００６７】
印刷ウェブ／積層ウェブ製造アセンブリ２は、連続印刷ウェブ４の搬送方向９８に関して、プレコート塗布装置５０の下流に、プレコート乾燥装置５２を有する。これは、連続印刷ウェブ４に割り当てられ、外側面にプレコートが提供されている連続印刷ウェブ４を乾燥させるか、又はそのプレコートを乾燥させる。
【００６８】
印刷ウェブ／積層ウェブ製造アセンブリ２は、連続印刷ウェブ４の搬送方向９８に関して、プレコート乾燥装置５２の下流に、引き出しユニット５３を有する。これは、連続印刷ウェブ４に割り当てられ、印刷ウェブ／積層ウェブ製造アセンブリ２内の連続印刷ウェブ４を搬送するか、又は連続印刷ウェブ４を印刷ウェブスプライシング装置４４から引き出して離す。
【００６９】
印刷ウェブ／積層ウェブ製造アセンブリ２は、連続印刷ウェブ４の搬送方向９８に関して、引き出しユニット５３の下流に、連続印刷ウェブ４に割り当てられたコロナ前処理装置５４を有する。コロナ前処理装置５４は、コロナ支持ローラ５５と、そのコロナ支持ローラ５５に隣接するように配置された少なくとも１つの電極５６とを備える。連続印刷ウェブ４は、コロナ支持ローラ５５の周りに案内される。ここでの連続印刷ウェブ４は、コロナ支持ローラ５５と少なくとも１つの電極５６とによって形成されるコロナ前処理ギャップを通って走行する。コロナ前処理ギャップ内の連続印刷ウェブ４の外側面５１は、コロナ放電にさらされ、これにより、外側面５１の表面が酸化される。これは、特にコーティングされた連続印刷ウェブ４の場合に起こる。これは、インクが塗布されたとき、又は印刷が行われたときに、それぞれより高いドットゲインをもたらす。このようにして、連続印刷ウェブ４上の印刷インキの付着性が改善される。
【００７０】
印刷ウェブ／積層ウェブ製造アセンブリ２は、連続印刷ウェブ４の搬送方向９８に関して、コロナ前処理装置５４の下流に、連続印刷ウェブ４に割り当てられ、連続印刷ウェブ４の少なくとも外側面を洗浄するクリーニング装置５７を有する。
【００７１】
印刷ウェブ／積層ウェブ製造アセンブリ２は、連続印刷ウェブ４の搬送方向９８に関して、クリーニング装置５７の下流に、インクジェット印刷装置５８を有する。これは、連続印刷ウェブ４に割り当てられ、連続印刷ウェブ４の外側面に、又は乾燥したプレコート上に少なくとも１つのインプリントを印刷する。このように、プレコートは、少なくとも１つのインプリントと連続印刷ウェブ４との間に位置している。好ましくは、少なくとも１つのインプリントは、水性インクインプリントである。
【００７２】
印刷ウェブ／積層ウェブ製造アセンブリ２は、連続印刷ウェブ４の搬送方向９８に関して、インクジェット印刷装置５８の下流に、連続印刷ウェブ４に割り当てられ、印刷された連続印刷ウェブ４、又はそのウェブの少なくとも１つのインプリントをそれぞれ乾燥させるインクジェット印刷乾燥装置５９を有する。
【００７３】
印刷ウェブ／積層ウェブ製造アセンブリ２は、連続印刷ウェブ４の搬送方向９８に関して、インクジェット印刷乾燥装置５９の下流に、連続印刷ウェブ４の外側面に少なくとも１つの透明カバーラッカー層を全領域にわたって塗布するための、連続印刷ウェブ４に割り当てられたラッカーユニット６０を有する。このようにして、少なくとも１つのインプリントは、少なくとも１つのカバーラッカー層とプレコートとの間に位置している。少なくとも１つのカバーラッカー層は、少なくとも１つのインプリントを全領域にわたってカバーし、インプリントに直接当たっている。その少なくとも１つのカバーラッカー層は、水性であり、水ラッカーとも呼ばれるマットラッカーによって、好ましくは形成される。
【００７４】
印刷ウェブ／積層ウェブ製造アセンブリ２は、連続印刷ウェブ４の搬送方向９８に関して、ラッカーユニット６０の下流に、連続印刷ウェブ４に割り当てられ、ラッカー処理された連続印刷ウェブ４、又はそのウェブの少なくとも１つのカバーラッカー層をそれぞれ乾燥させるラッカー乾燥装置６１を有する。
【００７５】
印刷ウェブ／積層ウェブ製造アセンブリ２は、連続印刷ウェブ４の搬送方向９８に関して、ラッカー乾燥装置６１の下流に、再加湿装置６２を有する。これは、連続印刷ウェブ４に割り当てられ、連続印刷ウェブ４の少なくとも外側面、又は片面に積層された連続段ボールウェブ６に接着される面をそれぞれ保湿する。
【００７６】
印刷ウェブ／積層ウェブ製造アセンブリ２はさらに、任意に印刷された連続印刷ウェブ４を一時的に蓄えるための印刷ウェブバッファ装置６３を有する。印刷ウェブバッファ装置６３は、印刷ウェブ／積層ウェブ製造アセンブリ２における連続印刷ウェブ４の搬送方向９８に関して、再加湿装置６２の下流に配置されている。印刷ウェブバッファ装置６３は、動的印刷ウェブバッファ装置として具現化されている。
【００７７】
印刷ウェブバッファ装置６３内の連続印刷ウェブ４は、複数の偏向ローラ６４の周りに実質的に蛇行するように案内される。偏向ローラ６４のうちの少なくとも１つは、それら偏向ローラ６４の回転軸に対して垂直に変位可能であり、印刷ウェブバッファ装置６３内で一時的に蓄えられるか又は格納される連続印刷ウェブ４の長さが、動的に変更できる。
【００７８】
印刷ウェブ／積層ウェブ製造アセンブリ２内の印刷ウェブスプライシング装置４４から、連続印刷ウェブ４を引き出して離すための少なくとも１つの引き出しローラを備える、引き出しユニット６５は、印刷ウェブバッファ装置６３内の出口に近くあるように配置されている。
【００７９】
印刷ウェブ／積層ウェブ製造アセンブリ２における連続印刷ウェブ４の搬送方向９８に関して、印刷ウェブ／積層ウェブ製造アセンブリ２の印刷ウェブ巻取り装置、又は貯蔵装置６６が、印刷ウェブバッファ装置６３の下流に配置されている。任意に印刷された連続印刷ウェブ４を巻取るための印刷ウェブ巻取り装置６６は、軸受けアーム６７に回転可能に取り付けられた印刷ウェブ巻取りロール６８を備える。軸受けアーム６７は、好ましくは、水平旋回軸の周りを旋回可能である。軸受けアーム６７は、印刷ウェブ巻取りフレーム６９に旋回可能に取り付けられている。連続印刷ウェブ４は、印刷ウェブ巻取り装置６６に到達し、そこで巻回ウェブ又は貯蔵ウェブとして巻かれるように、印刷ウェブ貯蔵装置６３を通って走行しなければならない。連続印刷ウェブ４は、必要な際に印刷ウェブ巻取り装置６６から巻き戻すことができ、ここでは巻回ウェブ又は貯蔵ウェブと称する。
【００８０】
印刷ウェブ／積層ウェブ製造アセンブリ２はさらに、積層ウェブスプライシング装置７０を備える。これは、第１積層ウェブロール７２から有限の第１積層ウェブ７１を巻き戻すための第７巻き戻しユニット７３を備え、また、第２積層ウェブロール７４から有限の第２積層ウェブを巻き戻すための第８巻き戻しユニット７５を備える。連続積層ウェブ４０を提供するための有限の第１積層ウェブ７１と第２積層ウェブは、積層ウェブスプライシング装置７０の接続及び切断ユニット（図示せず）によって互いに接続される。
【００８１】
印刷ウェブ／積層ウェブ製造アセンブリ２は、さらに、結合／切離しアセンブリ７６を有し、その構造及び動作モードは、図４から図１５に詳細に図示されている。
【００８２】
結合／切離しアセンブリ７６は、印刷ウェブスプライシング装置４４又はインクジェット印刷装置５８と、印刷ウェブ巻取り装置６６との間に配置されている。結合／切離しアセンブリ７６はさらに、積層ウェブスプライシング装置７０と、段ボール製造アセンブリ１、又は接続装置との間に配置されている。
【００８３】
結合／切離しアセンブリ７６は、垂直方向に延びる２つの相互に対向する支持壁７８からなるフレーム７７を有する。
【００８４】
積層ウェブパイロットローラ８０は、印刷ウェブスプライシング装置４４又はインクジェット印刷装置５８に面するフレーム７７の第１端部領域７９において、支持壁７８に回転可能に取り付けられている。積層ウェブパイロットローラ８０は、水平方向に延在し、結合／切離しアセンブリ７６内の連続積層ウェブ４０の積層ウェブ搬送方向８１に対して垂直になるように延びている。積層ウェブパイロットローラ８０は、連続積層ウェブ４０の全幅にわたって延びている。積層ウェブパイロットローラ８０は、連続積層ウェブ４０に割り当てられている。
【００８５】
結合／切離しアセンブリ７６は、さらに、積層ウェブ搬送方向８１に関して、積層ウェブパイロットローラ８０の下流に配置された第１粘着テープ貼付装置８２を備える。第１粘着テープ貼付装置８２は、第１粘着テープローラ８３を備え、これは、支持壁７８に旋回可能又は回転可能に取り付けられ、周方向領域を介して粘着要素８４を支持する。第１粘着テープローラ８３は、水平方向に延び、連続積層ウェブ４０の積層ウェブ搬送方向８１に対して、又は印刷ウェブ／積層ウェブ製造アセンブリ２の連続印刷ウェブ４の印刷ウェブ搬送方向９８に対して、それぞれ垂直になるように延びる。第１粘着テープローラ８３は、連続積層ウェブ４０の全幅、又は連続印刷ウェブ４の全幅にわたって延びている。
【００８６】
第１粘着テープ貼付装置８２はさらに、第１粘着テープローラ８３に割り当てられ、周方向領域を介してカウンタ要素８６を支持する回転可能な粘着テープカウンタローラ８５を備える。粘着テープカウンタローラ８５は、第１粘着テープローラ８３の上に配置されている。粘着テープカウンタローラ８５は、水平方向に延び、連続積層ウェブ４０の積層ウェブ搬送方向８１に対して垂直になるように延在する。粘着テープカウンタローラ８５は、連続積層ウェブ４０の全幅にわたって延びている。支持壁７８に配置された、垂直ガイド８７内の粘着テープカウンタローラ８５は、昇降装置８８によって、上側休止位置と下側接着位置との間で垂直方向に変位可能であり、粘着テープカウンタローラ８５は、下側接着位置において、第１粘着テープローラ８３と協働して、粘着テープ貼り付けギャップを構成する。
【００８７】
結合／切離しアセンブリ７６は、積層ウェブ搬送方向８１に関して、第１粘着テープ貼付装置８２の下流に配置された積層ウェブ分離装置８９を有する。積層ウェブ分離装置８９は、水平方向に延び、連続積層ウェブ４０の積層ウェブ搬送方向８１に対して垂直に延びる積層ウェブ分離要素９０を備える。刃状の積層ウェブ分離要素９０は、連続積層ウェブ４０の全幅にわたって延びている。支持壁７８に配置され、垂直ガイド９１に沿う積層ウェブ分離要素９０は、昇降装置９２によって、上側休止位置と下側分離位置との間で垂直方向に変位可能である。
【００８８】
積層ウェブ分離装置８９はさらに、支持壁７８上に位置を固定して配置され、水平方向に延び、連続積層ウェブ４０の積層ウェブ搬送方向８１に対して垂直になるように延在する積層ウェブ分離カウンタ要素１４６を備える。積層ウェブ分離カウンタ要素１４６は、連続積層ウェブ４０の全幅を横切って延び、連続積層ウェブ４０が分離されているときに、連続積層ウェブ４０を下から支持する。積層ウェブ分離カウンタ要素１４６は、プラテンの態様である。
【００８９】
結合／切離しアセンブリ７６は、積層ウェブ印刷ウェブ収束装置９３を有し、それは、積層ウェブ搬送方向８１に関して、積層ウェブ分離装置８９の下流側に配置され、一対の収束ローラ９４、９５を有する。収束ローラ９４、９５は、互いに平行で互いに上下になるように延在している。収束ローラ９４、９５は、それぞれ、連続積層ウェブ４０の積層ウェブ搬送方向８１、又は連続印刷ウェブ４の印刷ウェブ搬送方向９８に水平かつ垂直に延びている。収束ローラ９４、９５は、それぞれ、連続積層ウェブ４０の全幅、又は連続印刷ウェブ４の全幅を横切って延びている。収束ローラ９４、９５は、互いに垂直方向に相対的に変位可能であるように取り付けられ、支持壁７８上に配置された垂直ガイド９６上で回転可能である。収束ローラ９４は連続積層ウェブ４０に割り当てられ、一方、収束ローラ９５は連続印刷ウェブ４に割り当てられている。収束ローラ９４は、収束ローラ９５の上方に配置されているため、上部収束ローラ９４を形成し、一方、収束ローラ９５は下部収束ローラ９５を形成している。
【００９０】
印刷ウェブパイロットローラ９７は、支持壁７８上で回転可能なように、第１端部領域７９における積層ウェブパイロットローラ８０の下方に取り付けられている。印刷ウェブパイロットローラ９７は、結合／切離しアセンブリ７６内の連続印刷ウェブ４の印刷ウェブ搬送方向９８に対して水平かつ垂直に延びている。印刷ウェブパイロットローラ９７は、連続印刷ウェブ４の全幅にわたって延び、連続印刷ウェブ４に割り当てられている。
【００９１】
第２粘着テープ貼付装置９９は、印刷ウェブ搬送方向９８に関して印刷ウェブパイロットローラ９７の下流に位置するように配置されている。第１粘着テープローラ８３は、第２粘着テープ貼付装置９９の構成部品でもある。第１粘着テープローラ８３は、第２粘着テープ貼付装置９９と同様に、第１粘着テープ貼付装置８２によっても利用される。
【００９２】
第２粘着テープ貼付装置９９は、部分的な円周を介して粘着要素１０１を支持する、旋回可能な、又は回転可能な第２粘着テープローラ１００を有する。第２粘着テープローラ１００は、連続印刷ウェブ４の印刷ウェブ搬送方向９８に対して水平かつ垂直に延びている。第２粘着テープローラ１００は、連続印刷ウェブ４の全幅にわたって延びている。支持壁７８上に配置された、垂直ガイド１０２内の第２粘着テープローラ１００は、昇降装置１０３によって、下側休止位置と上側接着位置との間で垂直に変位可能であり、第２粘着テープローラ１００は、上側接着位置において、第１粘着テープローラ８３と協働して、粘着テープ貼り付けギャップを構成する。
【００９３】
結合／切離しアセンブリ７６は、連続印刷ウェブ４の印刷ウェブ搬送方向９８に関して、下流に、連続印刷ウェブ４に割り当てられた穿孔装置１０４を備える。その穿孔装置１０４は、上部穿孔ローラ１０５を備え、そのローラは、その円周に近接するように配置された上部穿孔アセンブリ１０６を有する。穿孔装置１０４は、さらに、下部穿孔ローラ１０７を備え、そのローラは、その円周に近接するように配置された下部穿孔アセンブリ１０８を有する。穿孔ローラ１０５、１０７は互いに上下に、かつ、旋回可能に配置されている。穿孔ローラ１０５、１０７は、互いに平行で水平になるように延びている。穿孔ローラ１０５、１０７は、連続印刷ウェブ４の印刷ウェブ搬送方向９８に対して垂直になるように延在し、連続印刷ウェブ４の全幅にわたって延びている。支持壁７８上に配置された、垂直ガイド１１０に沿う下部穿孔ローラ１０７は、昇降装置１０９によって、下側休止位置と上側穿孔位置との間で垂直方向に変位可能である。
【００９４】
一対の偏向ローラ１１１、１１２が、積層ウェブ分離カウンタ要素１４６と上部穿孔ローラ１０５との間に配置されている。偏向ローラ１１１、１１２は、互いに平行で水平になるように延びている。偏向ローラ１１１、１１２は、互いに上下に隣接するように配置されている。上部偏向ローラ１１１は、連続積層ウェブ４０に割り当てられ、積層ウェブ偏向ローラを形成する。下部偏向ローラ１１２は、連続印刷ウェブ４に割り当てられ、印刷ウェブ偏向ローラを形成する。各偏向ローラ１１１、１１２は、支持壁７８上で制御された方法で旋回可能に取り付けられ、それぞれ非真円端板１１３又は１１４に接続されている。
【００９５】
非真円端板１１６に接続された第１積層ウェブ／印刷ウェブ偏向ローラ１１５は、積層ウェブ分離カウンタ要素１４６と積層ウェブ印刷ウェブ収束装置９３との間に配置されている。第１積層ウェブ／印刷ウェブ偏向ローラ１１５は、支持壁７８に旋回可能に取り付けられ、水平方向に延びている。第１積層ウェブ／印刷ウェブ偏向ローラ１１５は、連続印刷ウェブ４の印刷ウェブ搬送方向９８、又は連続積層ウェブ４０の積層ウェブ搬送方向８１に対して垂直になるように延在している。
【００９６】
印刷ウェブ分離装置１１７は、印刷ウェブ搬送方向９８に関して積層ウェブ印刷ウェブ収束装置９３の下流に位置するように配置されている。印刷ウェブ分離装置１１７は、水平方向に延び、かつ、連続印刷ウェブ４の印刷ウェブ搬送方向９８に対して垂直になるように延在する印刷ウェブ分離要素１１８を備える。印刷ウェブ分離要素１１８は、連続印刷ウェブ４の全幅にわたって延びており、支持壁７８上に配置された垂直ガイド１１９に沿って、昇降装置１２０によって、下側休止位置と上側分離位置との間で垂直方向に変位可能である。印刷ウェブ分離要素１１８は、刃物の態様である。
【００９７】
印刷ウェブ分離装置１１７は、さらに印刷ウェブ分離カウンタ要素１２１を備え、このカウンタ要素１２１は、支持壁７８に位置的に固定されて配置され、水平方向に延びている。印刷ウェブ分離カウンタ要素１２１は、連続印刷ウェブ４の印刷ウェブ搬送方向９８に対して垂直になるように延在している。プラテンの態様の印刷ウェブ分離カウンタ要素１２１は、連続印刷ウェブ４の全幅にわたって延びている。印刷ウェブ分離カウンタ要素１２１は、連続印刷ウェブ４が分離されているときに、後方から連続印刷ウェブ４を支持する。
【００９８】
非真円端板１２３に連結された第２積層ウェブ／印刷ウェブ偏向ローラ１２２は、印刷ウェブ分離カウンタ要素１２１と積層ウェブ印刷ウェブ送込み設置部９３との間に配置されている。第２積層ウェブ／印刷ウェブ偏向ローラ１２２は、支持壁７８に揺動可能に取り付けられ、水平方向に延びている。第２積層ウェブ／印刷ウェブ偏向ローラ１２２は、連続印刷ウェブ４の印刷ウェブ搬送方向９８、又は連続積層ウェブ４０の積層ウェブ搬送方向８１に対して垂直に延在している。
【００９９】
結合／切離しアセンブリ７６の動作は、以下でより詳細に説明される。
【０１００】
図５の段ボール製造アセンブリ１と印刷ウェブ／積層ウェブ製造アセンブリ２は、相互に独立した方法で製造する。両面に積層された連続段ボールウェブは段ボール製造アセンブリ１で製造される一方、インクジェット印刷装置５８によって印刷可能な連続印刷ウェブ４と、連続積層ウェブ４０は印刷ウェブ／積層ウェブ製造アセンブリ２で製造される。
【０１０１】
結合／切離しアセンブリ７６内で、同一のそれぞれ搬送方向８１及び９８にある連続積層ウェブ４０及び連続印刷ウェブ４は、互いに上下に分離された方法で搬送される。結合／切離しアセンブリ７６内の連続積層ウェブ４０及び連続印刷ウェブ４は、水平かつ平行に、互いに間隔をあけて走行する。
【０１０２】
連続積層ウェブ４０は、積層ウェブパイロットローラ８０及び上部収束ローラ９４の下を走行し、それら２つと接触している。積層ウェブパイロットローラ８０及び上部収束ローラ９４は、連続積層ウェブ４０を案内する。粘着テープカウンタローラ８５と積層ウェブ分離要素９０は、それぞれ、その上側休止位置に位置している。粘着テープカウンタローラ８５及び積層ウェブ分離要素９０は、連続積層ウェブ４０から離れ、その上方に位置するように配置されている。
【０１０３】
連続積層ウェブ４０は、さらに、第１粘着テープローラ８３、上部穿孔ローラ１０５、上部偏向ローラ１１１、積層ウェブ分離カウンタ要素１４６、第１積層ウェブ／印刷ウェブ偏向ローラ１１５、及び第２積層ウェブ／印刷ウェブ偏向ローラ１２２から離間するように、上方を走行する。
【０１０４】
連続印刷ウェブ４は、上部で印刷ウェブパイロットローラ９７と下部収束ローラ９５に接触する。印刷ウェブパイロットローラ９７及び下部収束ローラ９５は、連続印刷ウェブ４を案内する。
【０１０５】
連続印刷ウェブ４は、下側休止位置にある全ての、第２粘着テープローラ１００、下部穿孔ローラ１０７、及び印刷ウェブ分離要素１１８から離間するように、上方を走行する。
【０１０６】
連続印刷ウェブ４は、第１粘着テープローラ８３、上部穿孔ローラ１０５、下部偏向ローラ１１２、第１積層ウェブ／印刷ウェブ偏向ローラ１１５、及び第２積層ウェブ／印刷ウェブ偏向ローラ１２２から離間するように、下方を走行する。
【０１０７】
連続印刷ウェブ４は、印刷ウェブ巻取り装置６６で巻き取られる。積層ウェブ搬送アセンブリ３を経由する連続積層ウェブ４０は、段ボール製造アセンブリ１に移送され、接続装置において、接着されながら、片面に積層された連続段ボールウェブ６に接続される。
【０１０８】
積層ウェブ搬送アセンブリ３は、第１偏向バー１２４と第２偏向バー１２５とを備える。印刷ウェブ／積層ウェブ製造アセンブリ２の第１偏向バー１２４は、連続積層ウェブ４０の搬送方向８１に関して、結合／切離しアセンブリ７６の下流に配置されている。第１偏向バー１２４は水平方向に延び、そこの連続積層ウェブ４０の搬送方向８１と併せて、４５°の角度を囲んでいる。連続積層ウェブ４０は、第１偏向バー１２４で９０°偏向され、１８０°反転される。このようにして、積層ウェブ搬送アセンブリ３内の連続積層ウェブ４０は、段ボール製造アセンブリ１の長手方向に対して垂直になるように走行する。
【０１０９】
第２偏向バー１２５は、第１偏向バー１２４と平行に延在する。第２偏向バー１２５は、段ボール製造アセンブリ１内に位置している。第２偏向バー１２５によって連続積層ウェブ４０は、段ボール搬送方向に９０°偏向され、１８０°反転される。第２偏向バー１２５の下流の連続積層ウェブ４０は、片面に積層された隣接する連続段ボールウェブ６の搬送方向に搬送される。第２偏向バー１２５は、材料ウェブスプライシング装置８と予熱アセンブリ３７との間に配置されている。
【０１１０】
連続印刷ウェブ４を段ボール製造アセンブリ１での積層ウェブとして利用する場合、連続印刷ウェブ４を段ボール製造アセンブリ１に導入し、いわば、インクジェット印刷装置５８を段ボール製造アセンブリ１に結合させなければならない。この目的のために、第１粘着テープ貼付装置８２を作動する。粘着テープカウンタローラ８５は、第１粘着テープローラ８３に向かって下方に変位する。粘着テープカウンタローラ８５はそこで、連続積層ウェブ４０を下方に巻き込み、これにより、連続積層ウェブ４０は、積層ウェブパイロットローラ８０及び上部収束ローラ９４から持ち上げられる。粘着テープカウンタローラ８５が下方に変位すると、それと第１粘着テープローラ８３は、カウンタ要素８６と偏差要素８４が互いに向かい合って連続積層ウェブ４０の向かい合う両端に当接するように、それぞれ旋回又は回転される。粘着要素８４によってそこに保持される第１粘着テープ１２６は、連続積層ウェブ４０の幅方向で、連続印刷ウェブ４に面する側、つまり下側に粘着するように配置される。この目的のために、第１粘着テープローラ８３は、粘着テープ受容位置から粘着テープ移送位置に旋回又は回転される。この第１粘着テープローラ８３は、粘着テープ貼付ローラとして機能する。ここでの粘着テープカウンタローラ８５は、無端の積層ウェブ４０がそれてしまうことを防止する。印刷ウェブスプライシング装置４４及び段ボール製造アセンブリ１は、製造を継続する（図６）。
【０１１１】
図７に示されているように、粘着テープカウンタローラ８５は、その後、その非作動位置まで再び上方に移動される。第１粘着テープローラ８３は、旋回又は回転され、再びその非作動位置まで移動される。収束ローラ９４、９５は一様に収束する。これら収束ローラ９４、９５は、連続積層ウェブ４０と連続印刷ウェブ４が第１粘着テープ１２６で互いに接触するように収束しており、これにより、連続積層ウェブ４０と連続印刷ウェブ４は、第１粘着テープ１２６によって互いに結合又は接続される。
【０１１２】
さらに、積層ウェブ分離装置８９が作動状態にされる。積層ウェブ分離要素９０は、その下側分離位置に移動される。積層ウェブ分離要素９０は、連続積層ウェブ４０を分離する間、積層ウェブ分離カウンタ要素１４６と相互作用する。
【０１１３】
連続積層ウェブ４０は、上部偏向ローラ１１１、第１積層ウェブ／印刷ウェブ偏向ローラ１１５、及び第２積層ウェブ／印刷ウェブ偏向ローラ１２２の上面に載置される。また、連続印刷ウェブ４は、第２偏向ローラ１１２、第１積層ウェブ／印刷ウェブ偏向ローラ１１５、及び第２積層ウェブ／印刷ウェブ偏向ローラ１２２の下面に当接している。
【０１１４】
さらに、印刷ウェブ分離装置１１７が作動状態にされる。この目的のために、印刷ウェブ分離要素１１８は上側分離位置に移動され、この印刷ウェブ分離要素１１８は、印刷ウェブ分離カウンタ要素１２１を用いて、連続印刷ウェブ４を分離する。
【０１１５】
図８に示されているように、連続印刷ウェブ４のみが、依然として結合／切離しアセンブリ７６を通って搬送されている。連続印刷ウェブ４のみが、依然として印刷ウェブ／積層ウェブ製造アセンブリ２内で製造されている。第１端部領域７９からの連続印刷ウェブ４は、上向きに走行している。連続印刷ウェブ４は、下部偏向ローラ１１２の下側、第１積層ウェブ／印刷ウェブ偏向ローラ１１５の下側、及び第２積層ウェブ／印刷ウェブ偏向ローラ１２２の上側にそれぞれ当接している。積層ウェブとして印刷された連続印刷ウェブ４は、積層ウェブ搬送アセンブリ３を介して段ボール製造アセンブリ１に搬送される。積層ウェブとしての連続印刷ウェブ４は、接着されている間に、片面に積層された段ボールウェブ６の接続装置内で接続される。インクジェット印刷装置５８は、段ボール製造アセンブリ１に結合されている。
【０１１６】
インクジェット印刷装置５８の段ボール製造アセンブリ１からの切り離し（結合解除）について、以下で説明する。図９に示すように、積層ウェブスプライシング装置７０からの連続積層ウェブ４０は、結合／切離しアセンブリ７６に導入される。連続積層ウェブ４０は、積層ウェブパイロットローラ８０の下側及び上部収束ローラ９４の下側に当接する。第１粘着テープ貼付装置８２及び積層ウェブ分離装置８９は、非作動状態にある。
【０１１７】
上部収束ローラ９４の領域には、第２粘着テープ１２７がその幅方向に配置され、連続印刷ウェブ４に面する側、つまり下側の、連続積層ウェブ４０の端部に近接する。連続積層ウェブ４０は、この実施例では、上部収束ローラ９４上に位置的に確立（固定）されている。上部収束ローラ９４は、例えば真空ローラとして具現化される。あるいは、この目的のための上部収束ローラ９４は、例えばクランプビームが割り当てられる。
【０１１８】
印刷ウェブ４に対応し、印刷されていてもよい、印刷ウェブ巻取り装置６６からの巻回ウェブ１２９は、結合／切離しアセンブリ７６に導入される。巻回ウェブ１２９の端部は、上方から下部収束ローラ９５上に載置される。本実施例では、巻回ウェブ１２９は、下部収束ローラ９５上に位置的に確立（固定）されている。下部収束ローラ９５は、例えば真空ローラとして具現化される。あるいは、この目的のための下部収束ローラ９５は、例えば、クランプビームが割り当てられる。
【０１１９】
第２粘着テープ貼付装置９９及び穿孔装置１０４が作動される。第２粘着テープローラ１００は上方に移動され、その粘着テープ受容位置から、その粘着テープ移送位置に旋回又は回転される。第１粘着テープローラ８３も同様に、旋回又は回転される。第３粘着テープ１２８は、第２粘着テープローラ１００によって連続印刷ウェブ４に下方から配置され、その第３粘着テープ１２８は、連続印刷ウェブ４の幅方向に延びている。第２粘着テープローラ１００は、粘着テープ貼付ローラとして機能する。第１粘着テープローラ８３は、粘着テープカウンタローラとして機能し、ここでは、連続印刷ウェブ４がそれることを防止する。段ボール製造アセンブリ１とインクジェット印刷装置５８は、結合運転で製造を行う。
【０１２０】
下部穿孔ローラ１０７は、上方に移動され、その穿孔位置に移動される。上部穿孔ローラ１０５は、その穿孔位置に旋回又は回転される。その穿孔位置にある穿孔ローラ１０５、１０７は、相互に作用し、連続印刷ウェブ４をその全幅にわたって穿孔する。ここでは、穿孔アセンブリ１０６、１０８は互いに対向している。
【０１２１】
連続印刷ウェブ４は、第２偏向ローラ１１２の底面、第１積層ウェブ／印刷ウェブ偏向ローラ１１５の底面、及び第２積層ウェブ／印刷ウェブ偏向ローラ１２２の上面に当接する。
【０１２２】
図１０に示すように、積層ウェブ印刷ウェブ収束装置９３が続いて作動される。収束ローラ９４、９５は一様に収束される。そこにある連続積層ウェブ４０は、第２粘着テープ１２７によって連続印刷ウェブ４に粘着的に接着される。
【０１２３】
連続積層ウェブ４０は、上部偏向ローラ１１１、第１積層ウェブ／印刷ウェブ偏向ローラ１１５、及び第２積層ウェブ／印刷ウェブ偏向ローラ１２２の上面に当接する。
【０１２４】
連続印刷ウェブ４は、下部偏向ローラ１１２、第１積層ウェブ／印刷ウェブ偏向ローラ１１５、及び第２積層ウェブ／印刷ウェブ偏向ローラ１２２の下側に当接する。
【０１２５】
印刷ウェブ巻取り装置６６から出た巻回ウェブ１２９が、続いて第３粘着テープ１２８によって連続印刷ウェブ４に粘着的に接続される（図１１）。
【０１２６】
図１２に示すように、積層ウェブ印刷ウェブ収束装置９３の下流の、元より連続する印刷ウェブ４は、穿孔装置１０４によって生成された穿孔に沿って切り離れる。収束ローラ９４、９５はその後、再び離れる（図１３）。段ボール製造アセンブリ１とインクジェット印刷装置５８との結合が解除される。連続積層ウェブ４０は、再び段ボール製造アセンブリ１内で利用される。
【０１２７】
結合／切離しアセンブリの第２実施形態を、図１６から図２８を参照して以下に説明する。他の相違点はない。同一の部品には、先の実施形態と同じ参照符号が付されており、それを参照している。機能的には同一の部品であっても、構造が異なるものには、同じ参照符号と接尾語「ａ」を付けている。
【０１２８】
第１実施形態と比較して、結合／切離しアセンブリ７６ａ内の印刷ウェブパイロットローラ９７は、支持壁７８に配置された垂直ガイド１４７に沿って垂直方向に変位可能である。
【０１２９】
結合／切離しアセンブリ７６ａはさらに、支持壁７８に回転可能に取り付けられた上部偏向ローラ１３０を有する。下部偏向ローラ１３１は、上部偏向ローラ１３０の下方に配置されている。下部偏向ローラ１３１は、昇降装置１３３により、支持壁７８に配置された垂直ガイド１３２に沿って、下側パイロット位置と上側接触圧位置との間で変位可能である。
【０１３０】
印刷ウェブ分離装置１３４は、積層ウェブパイロットローラ８０及び印刷ウェブパイロットローラ９７によって形成された対（ペア）と、上部偏向ローラ１３０及び下部偏向ローラ１３１によって形成された対（ペア）との間に配置されている。印刷ウェブ分離装置１３４は、印刷ウェブ分離要素１３５を備え、印刷ウェブ分離要素１３５は昇降装置１３７により、支持壁７８に配置された垂直ガイド１３６に沿って垂直に変位可能である。印刷ウェブ分離装置１３４は、さらに、印刷ウェブ分離要素１３５に割り当てられた、ブロック又はプラテンの態様の印刷ウェブ分離カウンタ要素１３８を備える。
【０１３１】
印刷ウェブ分離カウンタ要素１３８は、取り外し可能な第１スライド１３９上に配置されている。第１スライド１３９は、水平方向に延び、支持壁７８に配置されている第１レール１４０に沿って変位可能である。第１スライド１３９は、フレーム７７から完全に取り出すことができる。
【０１３２】
第１スライド１３９はさらに、一対の偏向ローラ１１１、１１２を支持しており、これらは、第１実施形態と比較して、互いの横に配置されている。印刷ウェブ分離カウンタ要素１３８がそれらの間に配置されている。
【０１３３】
第１実施形態と比較して、積層ウェブ分離装置８９ａは、水平な第２レール１４２に沿って変位可能な第２スライド１４１上に積層ウェブ分離カウンタ要素１４６を有する。第２レール１４２は、支持壁７８上に配置されている。第２スライド１４１は、フレーム７７から完全に取り出すことができる。
【０１３４】
第２スライド１４１はさらに、第１積層ウェブ／印刷ウェブ偏向ローラ１１５と、垂直方向に変位可能な粘着テープカウンタローラ１００に割り当てられた粘着テープローラ８３とを支持する。
【０１３５】
図１８によれば、段ボール製造アセンブリ１と印刷ウェブ／積層ウェブ製造アセンブリ２は、相互に独立した方法で製造を行う。両面に積層された段ボールウェブは段ボール製造アセンブリ１で製造される一方、連続印刷ウェブ４及び連続積層ウェブ４０は印刷ウェブ／積層ウェブ製造アセンブリ２で製造される。スライド１３９、１４１はフレーム７７内に押し込まれる。
【０１３６】
積層ウェブスプライシング装置７０からの連続積層ウェブ４０は、上方から結合／切離しアセンブリ７６ａに入る。連続積層ウェブ４０は、上部偏向ローラ１３０によって９０°偏向され、そのローラの下流を水平に走行する。連続積層ウェブ４０は、上部収束ローラ９４の下側に当接する。
【０１３７】
積層ウェブ分離装置８９ａは、その休止位置に位置している。
【０１３８】
連続印刷ウェブ４は、結合／切離しアセンブリ７６ａ内を水平に走行する。連続印刷ウェブ４は、印刷ウェブパイロットローラ９７、下部偏向ローラ１３１、及び下部収束ローラ９５に接触する。印刷ウェブパイロットローラ９７は、その下側休止位置に位置している。下部偏向ローラ１３１は、その下側パイロット位置に位置している。下部収束ローラ９５は、その下側休止位置に位置している。粘着テープカウンタローラ１００及び印刷ウェブ分離装置１１７は、休止している。
【０１３９】
図１９に示すように、インクジェット印刷装置５８を段ボール製造アセンブリ１に結合するために、連続印刷ウェブ４の全幅にわたって延びる第１粘着テープ１４３が、粘着テープ貼付装置９９ａを用いて連続印刷ウェブ４上に上方から配置される。この目的のために、粘着テープローラ８３及び粘着テープローラ１００が、旋回又は回転される。粘着テープローラ８３は、粘着テープ貼付ローラとして機能する。粘着テープローラ８３によって粘着テープ移送位置に保持される第１粘着テープ１４３は、連続印刷ウェブ４の上方に配置されている。粘着テープローラ１００は、その上側能動位置にあり、粘着テープカウンタローラとして機能する。
【０１４０】
図２０に可視化されているように、上部収束ローラ９４と下部収束ローラ９５は、その後収束され、これにより、連続印刷ウェブ４と連続積層ウェブ４０は収束し、第１粘着テープ１４３の領域で、互いに粘着的に接続される。ここでの連続積層ウェブ４０は、粘着テープローラ８３、第１積層ウェブ／印刷ウェブ偏向ローラ１１５、及び第２積層ウェブ／印刷ウェブ偏向ローラ１２２に当接するように運ばれる。連続印刷ウェブ４は、粘着テープローラ８３、第１積層ウェブ／印刷ウェブ偏向ローラ１１５、及び第２積層ウェブ／印刷ウェブ偏向ローラ１２２に当接することになる。
【０１４１】
積層ウェブ分離装置８９ａが作動される。積層ウェブ分離要素９０は、下方からその分離位置に移動し、積層ウェブ分離カウンタ要素１４６を用いて、連続積層ウェブ４０を分離する。
【０１４２】
印刷ウェブ分離装置１１７が作動される。印刷ウェブ分離要素１１８は、その分離位置まで上方に移動し、印刷ウェブ分離カウンタ要素１２１を用いて、連続印刷ウェブ４を分離する。
【０１４３】
段ボール製造アセンブリ１と印刷ウェブ／積層ウェブ製造アセンブリ２は、結合状態で製造を行う。連続印刷ウェブ４が製造され、積層ウェブとして段ボール製造アセンブリ１に移送される。これは、図２１に可視化されている。
【０１４４】
インクジェット印刷装置５８と段ボール製造アセンブリ１との結合を解除するために、結合／切離しアセンブリ７６ａの再調整が必要である。この目的のために、上部収束ローラ９４が下方に移動し、連続印刷ウェブ４が粘着テープローラ８３及び第１積層ウェブ／印刷ウェブ偏向ローラ１１５から持ち上げられる。連続印刷ウェブ４は張力を受けて保持される（図２２）。
【０１４５】
スライド１３９、１４１は、続いてフレーム７７から横方向に出て行く。印刷ウェブパイロットローラ９７及び下部偏向ローラ１３１は、続いて上方に移動する（図２３）。
【０１４６】
第１スライド１３９が、続いて連続印刷ウェブ４の下方に再び挿入される。連続印刷ウェブ４は、偏向ローラ１１１、１１２の上面に当接する。印刷ウェブパイロットローラ９７及び下部偏向ローラ１３１が、続いて再度下方に移動する（図２４）。
【０１４７】
図２５に示すように、上部収束ローラ９４はその後再度上方に移動し、ここで上部収束ローラ９４は連続印刷ウェブ４から持ち上げられる。
【０１４８】
第２スライド１４１が、連続積層ウェブ４０の下方に再度押し戻される。
【０１４９】
印刷ウェブ巻取り装置６６からの、前の連続する印刷ウェブ４又は巻回ウェブ１２９が、結合／切離しアセンブリ７６ａ内に導入される。連続印刷ウェブ４又は巻回ウェブ１２９は、それぞれ、下部収束ローラ９５、下部偏向ローラ１３１、及び印刷ウェブパイロットローラ９７の上に載置される。連続印刷ウェブ４は、第２スライド１４１の下方に位置している。印刷ウェブ４の一端、又は巻回ウェブ１２９の一端は、それぞれ印刷ウェブパイロットローラ９７の上面に載置される。そこにある印刷ウェブ４、又は巻回ウェブ１２９が、印刷ウェブパイロットローラ９７に対して位置的に固定されていることが好都合である。例えば、印刷ウェブパイロットローラ９７は、本実施例では作動する真空ローラとして具現化されている。例えば、印刷ウェブパイロットローラ９７には、クランプビームのような少なくとも１つのクランプ手段が割り当てられている。
【０１５０】
印刷ウェブパイロットローラ９７の領域において、連続印刷ウェブ４の端部の上面には、連続印刷ウェブ４の全幅に亘って延びる第２粘着テープ１４４が配置されている。
【０１５１】
段ボール製造アセンブリ１の連続積層ウェブは、上方から結合／切離しアセンブリ７６ａ内に導入される。連続積層ウェブ４０の全幅にわたって延びる第３粘着テープ１４５が、段ボール製造アセンブリ１の上部偏向ローラ１３０の領域において、連続積層ウェブの底部に配置されている。段ボール製造アセンブリ１の連続積層ウェブは、上部偏向ローラ１３０上に位置的に固定されている。段ボール製造アセンブリ１の連続積層ウェブの一端は、現在、上部偏向ローラ１３０の底部に位置している。例えば、上部偏向ローラ１３０は、本実施例では作動する真空ローラとして具現化されている。あるいは、上部偏向ローラ１３０には、例えばクランプビームのような、少なくとも１つのクランプ手段が割り当てられている。
【０１５２】
図２６に示すように、印刷ウェブパイロットローラ９７及び下部偏向ローラ１３１は、その後、上方に変位する。連続印刷ウェブ４は、印刷ウェブパイロットローラ９７により、第２粘着テープ１４４を介して巻回ウェブ１２９に粘着的に接着される。積層ウェブパイロットローラ８０は、カウンタローラとして機能する。連続積層ウェブ４０は、下部偏向ローラ１３１により、第３粘着テープ１４５を介して段ボール製造アセンブリ１の積層ウェブに接着される。上部偏向ローラ１３０は、カウンタローラとして機能する。
【０１５３】
元々連続した印刷ウェブ４は、印刷ウェブ分離装置１３４によって分離される。印刷ウェブ分離要素１３５は下方に変位し、印刷ウェブ分離カウンタ要素１３８と相互作用する。
【符号の説明】
【０１５４】
１  段ボール製造アセンブリ
２  積層ウェブ製造アセンブリ
３  積層ウェブ搬送アセンブリ
４  印刷ウェブ
５  片面に積層された連続段ボールウェブを製造するための装置
６  段ボールウェブ
７  カバーウェブスプライシング装置
８  材料ウェブスプライシング装置
１４  カバーウェブ
２０  材料ウェブ
２４  段ボールウェブ
２５  第１波形ローラ
２６  第２波形ローラ
２７  搬送方向
３０  接着剤容器
３３  偏向ローラ
３６  保管装置
３７  予熱アセンブリ
４０  積層ウェブ
４１  接着ユニット
４４  印刷ウェブスプライシング装置
５０  プレコート塗布装置
５１  外側面
５２  プレコート乾燥装置
５３  引き出しユニット
５４  コロナ前処理装置
５７  クリーニング装置
５８  インクジェット印刷装置
５９  インクジェット印刷乾燥装置
６０  ラッカーユニット
６１  ラッカー乾燥装置
６２  再加湿装置
６３  印刷ウェブバッファ装置
６６  印刷ウェブ巻取り装置（貯蔵装置）
７０  積層ウェブスプライシング装置
７６、７６ａ結合／切離しアセンブリ
７７  フレーム
７８  支持壁
７９  第１端部領域
８０  積層ウェブパイロットローラ
８１  積層ウェブ搬送方向
８２  第１粘着テープ貼付装置
８３  第１粘着テープローラ
８４  粘着要素
８５  粘着テープカウンタローラ
８６  カウンタ要素
８９、８９ａ  積層ウェブ分離装置
９０  積層ウェブ分離要素
９３  積層ウェブ印刷ウェブ収束装置
９４  上部収束ローラ
９５  下部収束ローラ
９７  印刷ウェブパイロットローラ
９８  印刷ウェブ搬送方向
９９  第２粘着テープ貼付装置
９９ａ  粘着テープ貼付装置
１００  粘着テープカウンタローラ
１０４  穿孔装置
１０５、１０７  穿孔ローラ
１０６、１０８  穿孔アセンブリ
１１１、１１２  偏向ローラ
１１５  印刷ウェブ偏向ローラ
１１７  印刷ウェブ分離装置
１１８  印刷ウェブ分離要素
１２１  印刷ウェブ分離カウンタ要素
１２２  印刷ウェブ偏向ローラ
１２４  第１偏向バー
１２５  第２偏向バー
１２６  第１粘着テープ
１２７  第２粘着テープ
１２８  第３粘着テープ
１２９  巻回ウェブ
１３０  上部偏向ローラ
１３１  下部偏向ローラ
１３２、１３６  垂直ガイド
１３４  印刷ウェブ分離装置
１３５  印刷ウェブ分離要素
１３８  印刷ウェブ分離カウンタ要素
１３９  第１スライド
１４０  第１レール
１４１  第２スライド
１４２  第２レール
１４３  第１粘着テープ
１４４  第２粘着テープ
１４５  第３粘着テープ
１４６  積層ウェブ分離カウンタ要素
【図１】
2021523043.tif 000003
【図２】
2021523043.tif 000004
【図３】
2021523043.tif 000005
【図４】
2021523043.tif 000006
【図５】
2021523043.tif 000007
【図６】
2021523043.tif 000008
【図７】
2021523043.tif 000009
【図８】
2021523043.tif 000010
【図９】
2021523043.tif 000011
【図１０】
2021523043.tif 000012
【図１１】
2021523043.tif 000013
【図１２】
2021523043.tif 000014
【図１３】
2021523043.tif 000015
【図１４】
2021523043.tif 000016
【図１５】
2021523043.tif 000017
【図１６】
2021523043.tif 000018
【図１７】
2021523043.tif 000019
【図１８】
2021523043.tif 000020
【図１９】
2021523043.tif 000021
【図２０】
2021523043.tif 000022
【図２１】
2021523043.tif 000023
【図２２】
2021523043.tif 000024
【図２３】
2021523043.tif 000025
【図２４】
2021523043.tif 000026
【図２５】
2021523043.tif 000027
【図２６】
2021523043.tif 000028
【図２７】
2021523043.tif 000029
【図２８】
2021523043.tif 000030
【国際調査報告】
2021523043.tif 000031
2021523043.tif 000032
2021523043.tif 000033
2021523043.tif 000034